(57)【特許請求の範囲】
【請求項１】
各現画素に対する左側補間成分及び右側補間成分を算出し、補間画素の左側に隣接する現画素の右側補間成分と前記補間画素の右側に隣接する現画素の左側補間成分とを加算して前記補間画素の画素データを算出する補間方法であって、
前記右側補間成分を、前記各現画素及びその周囲に位置する複数の現画素の画素データに基づいて算出された基準値に前記各現画素の画素データの微分値に基づいて算出された調整値を加算することにより算出し、前記左側補間成分は、前記基準値から前記調整値を減算することにより算出すると共に、
前記基準値として、前記各現画素の画素データの１／２の値を用い、前記微分値は、前記各現画素の右側に隣接する現画素の画素データと左側に隣接する現画素の画素データとの減算により算出され、前記調整値は前記微分値の符号及び前記微分値の絶対値の内の最小値に基づいて算出されることを特徴とする補間方法。
【請求項２】
前記各現画素及びその周囲に位置する複数の現画素として、水平方向、垂直方向及び斜め方向の内の一つの方向に連続する少なくとも５個の現画素を用いることを特徴とする請求項１記載の補間方法。
【請求項３】
水平方向、垂直方向及び斜め方向の内の一つの方向に連続する５個の現画素の画素データを順に第１画素データ、第２画素データ、第３画素データ、第４画素データ、第５画素データとし、前記第１及び第２画素データの差の絶対値と前記第２及び第３画素データの差の絶対値とを加算した第１の値、前記第２及び第４画素データの差の絶対値からなる第２の値、前記第３及び第４画素データの差の絶対値と前記第４及び第５画素データの差の絶対値とを加算した第３の値をそれぞれ求め、前記第１乃至第３の値の内の最小値を選択し、前記最小値を定数倍し、前記第２画素データと第４画素データを比較して前記定数倍された最小値の符号を設定し、前記第３画素データの１／２と前記符号が設定されかつ定数倍された最小値とを加算して前記第３画素データの右側補間成分を算出し、前記第３画素データの１／２から前記符号が設定されかつ定数倍された最小値を減算した値を前記第３画素データの左側補間成分として算出することを特徴とする請求項１記載の補間方法。
【発明の詳細な説明】
【０００１】
【発明の属する技術分野】
本発明は、補間方法に関する。
【従来の技術】
【０００２】
従来のプラズマディスプレイ表示装置（ＰＤＰ）、液晶表示装置（ＬＣＤ）、エレクトロルミネッセンス表示装置（ＥＬ）等においては、走査線毎の水平画素数、走査線数及び走査周波数が予め所定の値に設定されている。
【０００３】
従って、例えば、ＨＤＴＶ用に走査線毎の水平画素数、走査線数及び走査周波数が予め所定の値に設定されている表示装置に対してＮＴＳＣ方式の映像信号を入力して表示するためには走査線毎の水平画素数、走査線数を増やすように信号変換する必要がある。
【０００４】
例えば、補間画素の生成方法として、図３に示すように各現画素に対する左側補間成分ｌ及び右側補間成分ｒを各現画素の１／２の値とし、補間画素ｘの左側に隣接する現画素の右側補間成分ｒと前記補間画素の右側に隣接する現画素の左側補間成分ｌとを加算した値、すなわち、同一走査線上で補間画素ｘの左右にある現画素の画素データの平均値を補間画素の画素データとして内挿する方法が知られている。
【０００５】
【発明が解決しようとする課題】
しかしながら、上述の平均値補間方法では、映像信号をサンプリングしてデジタル信号に変換する際失われたピーク値の再現が困難であり、シャープネスが失われ、変換画質があまり良好でないという問題があった。
【０００６】
本発明は、上述の事情に鑑みてなされたものであり、上記のピーク値の再現を可能にし良好な変換画像を経済的に実現することができる補間方法を提供することを目的とするものである。
【０００７】
【課題を解決するための手段】
本発明の請求項１に記載の補間方法は、  各現画素に対する左側補間成分及び右側補間成分を算出し、補間画素の左側に隣接する現画素の右側補間成分と前記補間画素の右側に隣接する現画素の左側補間成分とを加算して前記補間画素の画素データを算出する補間方法であって、
前記右側補間成分を、前記各現画素及びその周囲に位置する複数の現画素の画素データに基づいて算出された基準値に前記各現画素の画素データの微分値に基づいて算出された調整値を加算することにより算出し、前記左側補間成分は、前記基準値から前記調整値を減算することにより算出すると共に、
前記基準値として、前記各現画素の画素データの１／２の値を用い、前記微分値は、前記各現画素の右側に隣接する現画素の画素データと左側に隣接する現画素の画素データとの減算により算出され、前記調整値は前記微分値の符号及び前記微分値の絶対値の内の最小値に基づいて算出されることを特徴とする。
【０００９】
また、本発明の請求項２に記載の補間方法は、請求項１に記載の補間方法において、前記各現画素及びその周囲に位置する複数の現画素として、水平方向、垂直方向及び斜め方向の内の一つの方向に連続する少なくとも５個の現画素を用いることを特徴とする。
【００１０】
また、本発明の請求項３に記載の補間方法は、請求項１に記載の補間方法において、水平方向、垂直方向及び斜め方向の内の一つの方向に連続する５個の現画素の画素データを順に第１画素データ、第２画素データ、第３画素データ、第４画素データ、第５画素データとし、前記第１及び第２画素データの差の絶対値と前記第２及び第３画素データの差の絶対値とを加算した第１の値、前記第２及び第４画素データの差の絶対値からなる第２の値、前記第３及び第４画素データの差の絶対値と前記第４及び第５画素データの差の絶対値とを加算した第３の値をそれぞれ求め、前記第１乃至第３の値の内の最小値を選択し、前記最小値を定数倍し、前記第２画素データと第４画素データを比較して前記定数倍された最小値の符号を設定し、前記第３画素データの１／２と前記符号が設定されかつ定数倍された最小値とを加算して前記第３画素データの右側補間成分を算出し、前記第３画素データの１／２から前記符号が設定されかつ定数倍された最小値を減算した値を前記第３画素データの左側補間成分として算出することを特徴とする。
【００１１】
【作用】
本発明の補間方法によれば、現画素の周囲の複数の画素の画素データに応じて、現画素の右側補間成分と左側補間成分にレベル差が設定されるので、サンプリングによって失われたピーク値を再現することが可能となり、また、輪郭部分のエッジをより急峻にすることができる。
【００１２】
【発明の実施の形態】
本発明の補間方法を図に基づいて詳細に説明する。
図１は、本発明の補間方法を水平方向の画素密度を倍にする水平画素補間に適用した補間回路である。
【００１３】
縦続接続された単位遅延回路１１〜１４は、入力画像信号（画素データ）を次々に単位時間遅延させる。ここで、各単位遅延回路１１〜１４は、１画素分の遅延時間Ｄを与える回路である。
【００１４】
減算回路２１は、入力される０Ｄ遅延された画素データと１Ｄ遅延された画素データに応答してそれらの差分を出力する。減算回路２２は、入力される１Ｄ遅延された画素データと２Ｄ遅延された画素データ応答してそれらの差分を出力する。減算回路２３は、入力される２Ｄ遅延された画素データと３Ｄ遅延された画素データに応答してそれらの差分を出力する。減算回路２４は、入力される３Ｄ遅延された画素データと４Ｄ遅延された画素データに応答してそれらの差分を出力する。
【００１５】
絶対値回路２５〜２８は、減算回路２１〜２４から供給される差分に応答してそれらの絶対値を出力する。加算回路３１は、絶対値回路２５，２６からの差分の絶対値に応答してそれらの和を最小値セレクタ５２に供給する。加算回路３２は、絶対値回路２７，２８からの差分の絶対値に応答してそれらの和を最小値セレクタ５２に供給する。
【００１６】
減算回路４１は、入力される１Ｄ遅延された画素データと３Ｄ遅延された画素データに応答してそれらの差分を出力し、絶対値回路４２は、減算回路４１から供給される差分に応答してそれらの絶対値を最小値セレクタ５２に供給する。
【００１７】
符号発生回路５１は、入力される１Ｄ遅延された画素データと３Ｄ遅延された画素データに応答して符号を発生し、これを乗算回路６２に供給する。この符号は、１Ｄ遅延された画素データと３Ｄ遅延された画素データとを比較し、前者が後者より大きい場合負（＋）の符号を、後者が前者より大きい場合正（−）の符号を発生する。
【００１８】
最小値セレクタ５２は、絶対値回路４２から供給される２単位遅延された画素データ間の差分の絶対値及び加算回路３１及び３２から供給される隣接画素データ間の差分の絶対値和の内の最小値を選択して出力する。係数回路６１は、最小値セレクタ５２から供給される最小値を定数倍して乗算回路６２に供給する。
【００１９】
乗算回路６２は、符号発生回路５１から供給される符号と係数回路６１から供給される最小値を定数倍した信号を乗算して補間成分の調整値を生成し、出力する。このようにして、連続する５つの画素データに基づいて補間成分の調整値が算出される。一方、係数回路６３は、２Ｄ遅延された画素データを１／２倍し、出力する。
【００２０】
加算回路７１は、入力される２Ｄ遅延された画素データの１／２と調整値に応答して２Ｄ遅延された画素データの１／２に調整値を加算した出力（右側補間成分）を算出する。一方、減算回路７２は、入力される２Ｄ遅延された画素データの１／２と調整値に応答して２Ｄ遅延された画素データの１／２から調整値を減算した出力（左側補間成分）を算出する。
【００２１】
単位遅延回路６４により１画素分の遅延された右側補間成分は、加算回路７３で左側補間成分と加算され、補間画素データが算出される。時間軸変換回路６５は、入力される画素データと補間画素データに応答して水平方向に画素が補間された映像信号を出力する。
【００２２】
次に図１の補間回路の動作を図２に基づいて説明する。
図２において、○は現画素、ｘは補間画素、△は現画素の左側補間成分、□は現画素の右側補間成分を表し、現画素を左から順に第１から第６の画素とし、第１乃至第６の画素の各画素データをａ〜ｆとする。ここでａ＝ｂ＝ｅ＝ｆ、ｃ＝ｄ、ａ＜ｃとする。
【００２３】
第３の画素と第４の画素の間の補間画素ｘを求める場合について説明する。
この場合、先ず単位遅延回路１１〜１４により、入力画像信号（画素データ）を次々に単位時間遅延させ、０Ｄ乃至４Ｄ遅延された各画素データ（単位遅延回路１１の入力、単位遅延回路１１〜１４の出力）がｅ，ｄ，ｃ，ｂ，ａになった時、減算回路２１は第４及び第５の画素の画素データの差分（ｄ−ｅ）を出力し、減算回路２２は第３及び第４の画素の画素データの差分（ｃ−ｄ）を出力し、減算回路２３は第２及び第３の画素の画素データの差分（ｂ−ｃ）を出力し、減算回路２４は第１及び第２の画素の画素データの差分（ａ−ｂ）を出力する。
【００２４】
減算回路２１，２２の出力は、それぞれ絶対値回路２５，２６を介して加算回路３１に供給され、加算回路３１は差分の絶対値の和｜ｃ−ｄ｜＋｜ｄ−ｅ｜を出力する。また、減算回路２３，２４の出力は、それぞれ絶対値回路２７，２８を介して加算回路３２に供給され、加算回路３２は差分の絶対値の和｜ａ−ｂ｜＋｜ｂ−ｃ｜を出力する。
【００２５】
減算回路４１は第２及び第４の画素の画素データの差分（ｂ−ｄ）を出力し、絶対値回路４２を介して差分の絶対値｜ｂ−ｄ｜を出力する。
【００２６】
最小値セレクタ５２は、差分の絶対値の和（｜ａ−ｂ｜＋｜ｂ−ｃ｜）、（｜ｃ−ｄ｜＋｜ｄ−ｅ｜）及び差分の絶対値｜ｂ−ｄ｜の内の最小値ｋ１を選択し、係数回路６１を介して定数倍（例えば１／４倍）する。
【００２７】
符号発生回路５１は、第２及び第４の画素の画素データの差分（ｄ−ｂ）に基づいて
符号ｓ１を発生する。ここで、ｄ−ｂ＞０であるので、符号ｓ１（＋）が出力される。乗算回路６２は、最小値ｋ１を定数倍した値ｋ１／４と符号ｓ１（＋）を乗算した調整値ｓ１・ｋ１／４を出力する。一方、係数回路６３は、第３の画素の画素データｃを１／２倍した値ｃ／２を出力する。
【００２８】
加算回路７１は、第３の画素の画素データｃを１／２倍した値ｃ／２に調整値ｓ１・ｋ１／４を加算した値（ｃ／２＋ｓ１・ｋ１／４）を第３の画素の画素データｃの右側補間成分ｒとして出力する。一方、減算回路７２は第３の画素の画素データｃを１／２倍した値ｃ／２から調整値ｓ１・ｋ１／４を減算した値（ｃ／２−ｓ１・ｋ１／４）を第３の画素の画素データｃの左側補間成分ｌとして出力する。第３の画素の画素データｃの右側補間成分は、単位遅延回路６４により１画素分の遅延される。
【００２９】
次に、０Ｄ乃至４Ｄ遅延された各画素データ（単位遅延回路１１の入力、単位遅延回路１１〜１４の出力）がｆ，ｅ，ｄ，ｃ，ｂになった時、上述と同様に減算回路２１，２２、絶対値回路２５，２６、加算回路３１により、差分の絶対値の和｜ｄ−ｅ｜＋｜ｅ−ｆ｜が、減算回路２３，２４、絶対値回路２７，２８、加算回路３２により、差分の絶対値の和｜ｂ−ｃ｜＋｜ｃ−ｄ｜が、減算回路４１及び絶対値回路４２により、差分の絶対値｜ｃ−ｅ｜がそれぞれ算出される。
【００３０】
最小値セレクタ５２は、差分の絶対値の和（｜ｂ−ｃ｜＋｜ｃ−ｄ｜）、（｜ｄ−ｅ｜＋｜ｅ−ｆ｜）及び差分の絶対値｜ｃ−ｅ｜の内の最小値ｋ２を選択し、係数回路６１を介して定数倍（例えば１／４倍）する。
【００３１】
符号発生回路５１は、第３及び第５の画素の画素データの差分（ｅ−ｃ）に基づいて符号ｓを発生する。ここで、ｅ−ｃ＜０であるので、符号ｓ２（−）が出力される。乗算回路６２は、最小値ｋ２を定数倍した値ｋ２／４と符号ｓ２（−）を乗算した調整値ｓ２・ｋ１／４を出力する。一方、係数回路６３は、第４の画素の画素データｄを１／２倍した値ｄ／２を出力する。
【００３２】
加算算回路７１は、第４の画素の画素データｄを１／２倍した値ｄ／２に調整値ｓ２・ｋ２／４を加算した値（ｄ／２＋ｓ２・ｋ２／４）を第４の画素の画素データｄの右側補間成分ｒとして出力する。一方、減算回路７２は第４の画素の画素データｄを１／２倍した値ｄ／２から調整値ｓ２・ｋ２／４を減算した値（ｄ／２−ｓ２・ｋ２／４）を第４の画素の画素データｄの左側補間成分ｌとして出力する。
【００３３】
加算回路７３で単位遅延回路６４により１画素分の遅延された第３の画素の画素データｃの右側補間成分ｒと第４の画素の画素データｄの左側補間成分ｌと加算することにより、第３の画素と第４の画素の間の補間画素ｘが算出される。すなわち、補間画素ｘは、ｘ＝（ｃ／２＋ｓ１・ｋ１／４）＋（ｄ／２−ｓ２・ｋ２／４）により算出される。
【００３４】
ここで、ｓ１は正（＋）の符号、ｓ２は負（−）の符号であることから、第３の画素と第４の画素の間の補間画素ｘは、ｘ＝（ｃ／２＋ｋ１／４）＋（ｄ／２＋ｋ２／４）となる。このように、現画素の右側補間成分と左側補間成分にレベル差を設定することにより、図３の従来の補間方法による第３の画素と第４の画素の間の補間画素（ｘ＝ｃ／２＋ｄ／２）に比してピーク値の再現が良好となる。また、第２の画素と第３の画素の間の補間画素においては、輪郭部分のエッジをより急峻にすることができる。
【００３５】
上述の実施形態においては、現画素及びそれと同一走査線上で左右に位置する複数の画素の画素データに基づいて現画素の左側及び右側補間成分を算出する例を示したがこれに限らず、現画素及びその上下（すなわち垂直方向）に位置する複数の画素の画素データに基づいて現画素の左側及び右側補間成分を算出するように構成しても同様な作用効果が得られる。この場合、図１の補間回路において単位遅延回路１１〜１４、６４を１Ｈ（１水平走査期間）分遅延させる回路とすることにより、実現することができる。また、現画素及びその斜め方向に位置する複数の画素の画素データに基づいて現画素の左側及び右側補間成分を算出するように構成しても良い。
【００３６】
【発明の効果】
以上説明したように、本発明の補間方法によれば、現画素の右側補間成分と左側補間成分にレベル差が設定されるので、サンプリングによって失われたピーク値を再現することが可能となり、また、輪郭部分のエッジをより急峻にすることができる。
【図面の簡単な説明】
【図１】本発明の補間方法が適用される補間回路である。
【図２】本発明の補間方法を説明するための図である。
【図３】従来の補間方法を説明するための図である。
【符号の説明】
１１〜１４、６４・・・・単位遅延回路
２１〜２４、４１、７２・・・・減算回路
３１、３２、７１、７３・・・・加算回路
５１・・・・符号発生回路
５２・・・・最小値セレクタ
６１、６３・・・・係数回路
６２・・・・乗算回路
６５・・・・時間軸変換回路
【図１】
0003734362.tif 000002
【図２】
0003734362.tif 000003
【図３】
0003734362.tif 000004